(57)【特許請求の範囲】
【請求項１】
ケース体内に収容された電子部品と、
接続対象機器と接続可能な接続端子が形成された端子部と、を有し、
上記電子部品の機能、上記端子部の端子数は、上記接続対象機器と互換性を維持しており、
上記ケース体の外形寸法は、標準のＰＣＩ Ｅｘｐｒｅｓｓカード媒体よりも小さく、小型カードとしてのメモリスティックＤｕｏ（登録商標）またはＳＤ（登録商標）カードの外形寸法より大きく、
上記端子部はケース体の一部から露出して形成され、
上記ケース体には、
上記接続対象機器のコネクタ部の侵入を許容する開放を維持するように上記露出部をカバーするための端子カバーを載置可能な端子カバー載置部が形成され、
上記端子カバー載置部は、
薄板状をなす上記端子カバーを収容し、端子カバーの一面と上記ケース体の一面とが段差がなく平坦面を形成可能なように、上記端子カバーの厚さと略同じ高さを有して上記ケース体の一面からカード内に窪む段差として形成されている
カード型周辺装置。
【請求項２】
上記端子カバーは、
導電性部材により形成され、上記端子カバー載置部に載置された状態で上記ケース体内のコモン端子に接続可能な接合部を有する
請求項１記載のカード型周辺装置。
【請求項３】
上記コモン端子は、回路基板に形成されている
請求項２記載のカード型周辺装置。
【請求項４】
上記小型カードを挿入、退出可能なスロットと、
上記ケース体内に配置された上記小型カードを収納可能な収納部と、
上記収納部に収納された小型カードの端子部と接続が可能なコネクタ部と、を有し、
上記電子部品は、上記コネクタ部と上記端子部とに接続されたインターフェイス変換回路を含むカードアダプタとしての機能を有する
請求項１から３のいずれか一に記載のカード型周辺装置。
【請求項５】
上記電子部品には不揮発性メモリを含み、インターフェイスを介してデータの記録再生が可能であるメモリカードとして機能を有する
請求項１から４のいずれか一に記載のカード型周辺装置。
【発明の詳細な説明】
【技術分野】
【０００１】
本発明は、メモリカード等のカード型周辺装置に関するものである。
【背景技術】
【０００２】
従来からパーソナルコンピュータなどのカードスロットに装着されるＰＣカードと称されるカード型周辺装置が用いられている。
近年、パーソナルコンピュータの小型化および高速化に伴い、前記ＰＣカードよりも外形寸法が小さく、かつ、データの転送速度が高速なカード型周辺装置としてＥｘｐｒｅｓｓ Ｃａｒｄ（旧称ＮＥＷＣＡＲＤ）が提案されている（たとえば非特許文献１参照）。
【０００３】
ＥｘｐｒｅｓｓＣａｒｄは、従来のＰＣＩバスに代わるＩ／Ｏバス規格であるＰＣＩ Ｅｘｐｒｅｓｓ をインターフェイスとして用いるカードであり、従来のＰＣカード（PCMCIA）の置き換えを目指しているものである。
従来のカードと比較して、インターフェイスの大幅な高速化が図られている。
このことからこのカードに不揮発性メモリを搭載して、メモリカードとして用いた場合には、従来よりも高速で記録・再生が可能となる。
【０００４】
このような使い勝手の良さからデジタルカメラや携帯電話、ＰＤＡ(Personal Digital Assistants)や音楽プレーヤ等に幅広く使用可能であると考えられる。
【非特許文献１】日経エレクトロニクス２００３年６月９日号ｐｐ．６７−７６．「ＰＣカードを小型・高速に新規格「ＮＥＷＣＡＲＤ」がパソコンの進化を後押し」
【発明の開示】
【発明が解決しようとする課題】
【０００５】
しかし、図１に示すように、このカードの外形寸法は、長さ75mm、幅34mm、厚さ5mmであり、従来のＰＣカードと比べて小さくはなっているが、携帯電話や情報端末、デジタルスチルカメラなどの電子機器に用いるには、まだサイズ的に大きいと考えられる。
これでは、小型の電子機器に装着する上で不利である。
このため、Ｅｘｐｒｅｓｓ Ｃａｒｄよりも外形寸法が小型でＥｘｐｒｅｓｓ Ｃａｒｄ用のスロットに装着可能な新規なカード型周辺装置が求められている。
【０００６】
また、携帯電話や情報端末、デジタルスチルカメラなどの電子機器には、さらに小型のメモリカードの対応機器が存在するが、この小型メモリカードは、前記小型の電子機器以外のパーソナルコンピュータ（ＰＣ）などの比較的大きな外部機器のスロットに装着して使用する場合もある。
しかし、現在、小型のメモリカードを標準のＥｘｐｒｅｓｓＣａｒｄ対応機器で利用することは困難な状況にある。
このため、小型のメモリカードをＥｘｐｒｅｓｓＣａｒｄ対応機器で利用することを可能とするアダプタとしての機能を有する新規なカード型周辺装置が求められている。
【０００７】
また、従来の小型メモリカードは通常１０本以上程度の端子をそのカードの片面に有するのが一般的であるが、ほとんどのカードにおいては、仕切りは設けられていないまたは、非常に小さく、端子の保護の役割を担っていない。
端子面は、図２(Ａ)，(Ｂ)に示すように、カード１の端子面部２は、外部からの保護をされておらず、人が簡単に触れることが可能で、その結果端子面の汚れによって、使用時に信号の読み取りができないトラブルを起こすおそれがある。
【０００８】
図３に示すように、一部のカード１Ａでは、端子部２Ａの両側に仕切りを設け、これによって人の手による接触を防止する機能を持つものもある。
【０００９】
しかし、メモリカードの高速化の要求などに対応し、カードの端子数が増加した場合に、端子間隔が小さくなり、仕切りを設けるためのスペースが確保できない場合や、仕切りの幅が小さく仕切りの強度が十分に確保できないようなことが予想される。
【００１０】
本発明は、小型化を図れ、小型カードをスロットの大きい機器での使用を可能とし、また、端子面を効果的に保護することも可能なカード型周辺装置を提供することにある。
【課題を解決するための手段】
【００１１】
本発明の観点のカード型周辺装置は、ケース体内に収容された電子部品と、接続対象機器と接続可能な接続端子が形成された端子部と、を有し、上記電子部品の機能、上記端子部の端子数は、上記接続対象機器と互換性を維持しており、上記ケース体の外形寸法は、標準のＰＣＩ Ｅｘｐｒｅｓｓカード媒体よりも小さく、小型カードとしてのメモリスティックＤｕｏ（登録商標）またはＳＤ（登録商標）カードの外形寸法より大きく、上記端子部はケース体の一部から露出して形成され、上記ケース体には、上記接続対象機器のコネクタ部の侵入を許容する開放を維持するように上記露出部をカバーするための端子カバーを載置可能な端子カバー載置部が形成され、上記端子カバー載置部は、薄板状をなす上記端子カバーを収容し、端子カバーの一面と上記ケース体の一面とが段差がなく平坦面を形成可能なように、上記端子カバーの厚さと略同じ高さを有して上記ケース体の一面からカード内に窪む段差として形成されている。
【００１４】
好適には、上記電子部品には不揮発性メモリを含み、インターフェイスを介してデータの記録再生が可能であるメモリカードとして機能を有する。
【００１５】
好適には、上記小型カードを挿入、退出可能なスロットと、上記ケース体内に配置された上記小型カードを収納可能な収納部と、上記収納部に収納された小型カードの端子部と接続が可能なコネクタ部と、を有し、上記電子部品は、上記コネクタ部と上記端子部とに接続されたインターフェイス変換回路を含むカードアダプタとしての機能を有する。
【００１７】
好適には、上記端子カバーは、導電性部材により形成され、上記端子カバー載置部に載置された状態で上記ケース体内のコモン端子に接続可能な接合部を有する。
【００１８】
好適には、上記コモン端子は、回路基板に形成されている。
【発明の効果】
【００１９】
本発明によれば、小型化を図れ、小型カードをスロットの大きい機器での使用を可能とし、また、端子面を効果的に保護することも可能である。
【発明を実施するための最良の形態】
【００２０】
以下、本発明の実施形態を図面に関連付けて説明する。
【００２１】
図４（Ａ）、（Ｂ）は、本発明の第１の実施形態に係るカード型周辺装置の外観斜視図であって、図４（Ａ）はカード型周辺装置を第１面側から見た斜視図であり、図４（Ｂ）はカード型周辺装置を第２面側から見た斜視図である。
【００２２】
まず、実施形態に係るカード型周辺装置（メモリカード、アダプタ）１００の特徴的な構成および機能の概要について説明する。
【００２３】
本実施形態に係るカード型周辺装置１００は、インターフェイスとして、ＰＣＩ ＥｘｐｒｅｓｓまたはＵＳＢを直接用いるＰＣカード媒体であって、内部に不揮発性メモリを備え、インターフェイスを介してデータの記録・再生を行うメモリカードとしての機能をもつことができる。
カード型周辺装置１００は、ビデオカメラやデジタルスチルカメラ等の高性能モバイル機器用リムーバブルメディアに対して、小型、高密度メモリ・モジュールとしても使用するために、機能、ピン数などの互換性を維持してメモリカードとして構成される。
そして、カード型周辺装置は、外形寸法を標準のＰＣＩ ＥｘｐｒｅｓｓＣａｒｄ媒体よりも小さくし、小型機器での利用を可能としている。
さらにカード型周辺装置１００は、外形寸法が、市販の小型メモリカード（メモリスティックやＳＤ（登録商標）カードなど）より大きく形成されている。
すなわち、カード型周辺装置１００は、市販の小型メモリカード（メモリスティックやＳＤ（登録商標）カードなど）をアダプタの利用により可能とし、小型カードを標準のＥｘｐｒｅｓｓＣａｒｄ対応機器での利用を可能とするカードアダプタを実現することが可能なようなサイズを有している。
【００２４】
また、カード型周辺装置１００は、ホスト機器と信号をやり取りするためにカード上に配設される端子を、使用する人が直接手で触れることを防止するためのカバーを有する。
カード型周辺装置１００は、メモリカード上に取り付けられた端子カバーに導電体を用い、このカバーをカードのグランド端子とカード内部で接続することによって、静電気が信号端子に伝わり、それによってメモリカード内のコントローラや不揮発性メモリ（フラッシュメモリ）が電気的に破損することを防止することを目的としたカバーを有する。
【００２５】
以下、図４におけるカード型周辺装置１００の外観状の具体的な構成について説明する。なお、図４のカード型周辺装置１００は、たとえばメモリカードとしての機能を有する。
【００２６】
カード型周辺装置１００は、第１面１００ａと、この第１面１００ａの対向面である第２面１００ｂ間にカードケース１０１が形成されている。カードケース１０１は、第１面１００ａ上で箱型をなすように形成されている。
【００２７】
第２面１００ｂの前端部に端子１０２１が一列に配列された端子部１０２が形成されている。
メモリカード１００は、この端子部１０２により図示しないホスト機器にあるコネクタの接触ピンを介して、電源供給を受け、データのやり取りを行う。
図４（Ａ），（Ｂ）に示すメモリカード１００は、端子部１０２に端子カバーを配置していない基本状態を示している。
【００２８】
端子部１０２は、第１面１００ａよりに配置され、前端部に形成された開口部１０３を介して露出するように配置されている。開口部１０３は端子部１０２の両側および後端部に形成された仕切りとしても機能する側壁１０３１，１０３２，１０３３により囲まれるように形成されている。
そして、第２面１００ｂには、後で説明する端子カバーを配置可能な端子カバー載置部１０４が形成されている。この端子カバー載置部１０４は、薄板状をなす端子カバーを収容し、端子カバーの一面と第２面１００ｂとが段差がなく平坦面を形成可能なように、端子カバーの厚さと略同じ高さを有して第２面１００ｂからカード内に窪む段差として形成されている。
【００２９】
カード型周辺装置１００の後端部には、第１面１００ａ側にカードを保持する際に利用するグリップ１０５が形成され、あるいは第２面１００ｂ側や側面部に同じ目的に利用可能なノッチ１０６，１０７などが形成されている。
【００３０】
次に、本実施形態に係るカード型周辺装置１００の外形寸法について述べる。
本実施形態において、カード型周辺装置１００は、幅が20mm以上34mm以下、長さが31mm以上75mm以下、厚さが1.6mm以上5mm以下の外形寸法をもって設定される。
その根拠を述べる。
【００３１】
ＥｘｐｒｅｓｓＣａｒｄ２００の大きさは図５(Ａ)に示すように、長さ75mm、幅34mm、厚さ5mmである。
また、たとえば小型メモリカードとして一般に利用されているメモリスティック(ＭＳ)Ｄｕｏ（登録商標）３００の大きさは、図５（Ｂ）に示すように、長さ31mm、幅20mm、厚さ1.6mmであり、他のメモリカードであるＳＤ（登録商標）カード４００の大きさは、長さ32mm、幅24mm、厚さ2.1mmである。
本実施形態の対象となるメモリカード１００は、上述したように、ＥｘｐｒｅｓｓＣａｒｄと同じインターフェイスを備えることを特徴としている。
【００３２】
図６は、ＥｘｐｒｅｓｓＣａｒｄの端子割り当て(Ｐｉｎ  Ａｓｓｉｇｎｍｅｎｔｓ)の内訳を示す図である。
【００３３】
通常のＥｘｐｒｅｓｓＣｒａｄは、図６に示すように、全部で２６本の端子を有している。
本実施形態に係る小型用周辺装置としてのメモリカード１００では、カードを小型化するために、ＥｘｐｒｅｓｓＣｒａｄでメモリカードとして使用する際に使用されていない端子を省略して端子数を減らすように構成される。
たとえば、Ｐｉｎ５,６などはＲｅｓｅｒｖｅ（リザーブ）となっており、現在は機能が定義されていないので、実装を省略可能である。
同様にメモリカードとしての利用を考えた場合には、Ｐｉｎ７，８やＰｉｎ１１，１２なども省略することができる。
また、Ｐｉｎ１，２，３，４は、Ｅｘｐｒｅｓｓインターフェイスとは別のＵＳＢインターフェイスであり、通常のメモリカードとしての利用では使う必要はないが、レガシーカードのアダプタなのでの補完的な利用も可能である。
このような観点から、２６本ある端子は、１６〜２０程度にすることが可能である。
【００３４】
図７は、この小型カードをＰＣなどに設けられたＥｘｐｒｅｓｓＣａｒｄスロットに挿入して用いる際に利用するアダプタを示す図である。
このアダプタ５００の形状は通常のＥｘｐｒｅｓｓＣａｒｄと同じであるが、後端部に小型カードを入れるスロット５０１と、これを取り出す際に上述したカード型周辺装置１００に形成されたグリップやノッチにアクセスを容易にするための切り欠き５０２が設けられている。
【００３５】
図８は、本実施形態に係るカード型周辺装置を、小型メモリカードであるメモリスティックＤｕｏ（登録商標）とこれを小型カードスロットで利用する際に使用するカードアダプタとして利用する場合を示す図である。
上述したように、本実施形態に係るカード型周辺装置１００は、小型カードのカードアダプタ１１０Ａとして利用することも可能である。このカードアダプタの内部構造等については後で説明する。
これらのアダプタ利用の条件を考えた場合、本実施形態のカード型周辺装置の大きさは、メモリスティックＤｕｏ（登録商標）３００よりも大きく、ＥｘｐｒｅｓｓＣａｒｄよりも小さいものとなる。
つまり、前述したように、
幅は、20mm以上34mm以下、
長さは、31mm以上75mm以下、
厚さは1.6mm以上5mm以下、
という値が選定される。
【００３６】
実際には双方のアダプタを構成する部材の寸法やそれぞれのアダプタに配設する端子の大きさを考慮し、また、メモリカードとして用いる場合、図９に示すように、カードに内蔵するフラッシュメモリチップ１１０の横幅は、一般的なTSOP(48)で20mm、LGAなどでは18mm以下程度である。したがって、それを実装した回路基板を収めること、そして２０個の端子を収めることなどを考慮して、幅は21mm〜28mmが望ましい。
同様にメモリチップの厚さが最大で1.2mm程度であり、回路基板の厚さを0.6mmと仮定し、実装を片面、両面双方に対応を考え、2.5mm〜4.0mm程度とする。
長さは、図１０に示すように、メモリチップを３個並べることを考える。サイズを12mm〜14mmと仮定すると、42mm〜50mm程度となる。
【００３７】
以上の外形寸法を有するカード型周辺装置１００の端子部１０２は、前述したように開放されて配設されている。このような場合、利用する人がその手で直接端子を触ることが可能となる。
【００３８】
図１１に仕切りを設けた場合の例を示すが、端子が多くなるような場合、仕切りの寸法が十分に確保されず、強度的に問題が生じてしまうことが懸念される。
カードの仕様として、開放して端子が配設されたものも許容するが、端子表面への異物付着などによって、ホスト機器挿入時にコネクタの接触ピンとの接触が不十分で、カードが機能しないおそれもある。
また、静電気などが人の手や衣類などからカードの信号端子などに伝わり、場合によってはカード内部のコントローラやフラッシュチップを破壊してしまうことも十分に考えられる。
【００３９】
そこで、それらの対策として、本実施形態のカード型周辺装置においては、図１２に示すように端子上部に端子を上面から覆うような端子カバー１３０を取り付け可能なように構成されている。
端子カバー１３０は、カード型周辺装置１００の第２面１００ｂの前端側に形成された端子カバー載置部１０４に収容される。
薄板状をなす端子カバー１３０を載置部１０４に収容した状態においては、端子カバーの一面と第２面１００ｂとが段差がない平坦面が形成される。
そして、端子部１０２は、端子カバー１３０で第２面１００ｂ側に蓋をされたようになり、前端面側のみ開放された状態となり、この開放部から相手コネクタの接触ピンが挿入、退出される。
すなわち、端子カバー１３０は、コネクタ部の侵入を許容する開放部を維持するように端子カバー載置部１０４に載置される。
【００４０】
図１３および図１４に示すように、もともと、図示しないコネクタの接触ピン６００Ａ，６００Ｂは、弾性をもってカード型周辺装置１００を迎えるようにコネクタ内に設置されており、カード型周辺装置１００の端子部１０２のカード端子１０２１はカード全体の厚さの中央付近にある。なお、図１３と図１４の違いはコネクタの接触ピン６００Ａ，６００Ｂの形状にある。
よって、コネクタの接触ピン６００Ａ，６００Ｂはその全体の高さを、カード型周辺装置１００の下端である第２面１００ｂよりも上にすることは設計上おおきな困難は無い。  ただし、端子カバー１３０がある可能性を事前に提示していない場合には、図１５に示すように、それに対応できないコネクタが設計されるおそれがある。したがって、端子カバーのあるなしにかかわらず仕様としての端子カバーは最初から定義されるべきである。
【００４１】
図１６は、端子カバーを備えたカード型周辺装置の好適な構成例を説明するための図である。
この場合、端子カバー１３０Ａの材質を導電性のもの（たとえば、アルミニウム、SUSなど）にして、その長手方向に一側部に接合部１３１が形成されている。
そして、端子カバー載置部１０４に端子カバー１３０Ａを収容した状態で接合部１３１が、カード内において基板１２０を通じてコモン（グランド）端子にＧＮＤ接続するように構成される。
こうすることによって、静電気などが直接信号端子に伝わることを防ぎ、コモン端子に積極的に伝えることによって、カードの静電気に対する耐久性を向上することが可能となる。
【００４２】
以上、本実施形態に係るカード型周辺装置について、概ねメモリカードとして利用する場合を例に説明した。
次に、本実施形態に係るカード型周辺装置をカードアダプタとして適用する場合の構成例について説明する。
【００４３】
図１７は、本実施形態に係るカード型周辺装置をカードアダプタとしてした場合の外観斜視部である。
このカードアダプタ１００Ａは、前述したと同様の外形寸法をもって形成されている。したがって、外観は、図４と同様と同様である。
すなわち、カードアダプタ１００Ａの大きさ（外形寸法）は、メモリスティックＤｕｏ（登録商標）３００よりも大きく、ＥｘｐｒｅｓｓＣａｒｄよりも小さいものとなる。
図１７の例は、小型メモリカードであるメモリスティックＤｕｏ（登録商標）とこれを小型カードスロットで利用する際に使用するカードアダプタとして利用する場合である。
【００４４】
図１８は、本実施形態に係るカード型周辺装置としてのカードアダプタの要部の分解斜視図である。
また、図１９は、図１８の下側からみた分解斜視図である。
【００４５】
カードアダプタ１００Ａは、第１ケース体（上ケース体）１４１と第２ケース体(下ケース体)１４２との間で形成される空間１４３に、小型カード（ここではメモリスティックＤｕｏ（登録商標））３００を収納可能な空間を有するカード収納部１４４と、カード収納部１４４の前端側に配置され小型カード３００の端子部３１０が着脱されるコネクタ部１４５と、回路基板１４６，１４７とを有している。
【００４６】
このカードアダプタ１００Ａにおいては、高さのオフセットが必要となることから、回路基板部が２枚の回路基板１４６，１４７に分割されている。この２枚の回路基板１４６，１４７は図示していないがフレキシブルケーブルにより電気的に接続されている。
回路基板１４６上にカード収納部１４４が配置され、回路基板１４７の裏面側に端子部１０２が形成されている。
そして、回路基板１４７にはインターフェイス（Ｉ／Ｆ）変換用コントローラ１４８が配置されている。
また、第１ケース体１４１と第２ケース体１４２の後端部により小型カードを入れるスロット１４９が形成され、第２ケース体１４２の後端部には、挿入されたカードを取り出す際に上述したカード型周辺装置１００に形成されたグリップやノッチにアクセスを容易にするための切り欠き１４２１が設けられている。
なお、このカードアダプタ機能の場合も上述した端子カバーに関する構成を有する。
【００４７】
図２０は、カードアダプタのインターフェイス部のブロック図である。
【００４８】
メモリスティックＤｕｏ（登録商標）３００とこれを小型カードスロットで利用する際に使用するカードアダプタ１００Ａは、小型カードスロットを有するＥｘｐｒｅｓｓインターフェイスやＵＳＢなどとメモリスティックＤｕｏ（登録商標）３００のインターフェイスが異なるため、アダプタの内部でのインターフェイスの変換が必要となる。
このため、上述したＩ／Ｆ変換用コントローラ１４８が設けられている。
【００４９】
高速に信号を伝達する場合にはＥｘｐｒｅｓｓインターフェイスが優れているが、変換回路の規模が大きく、消費電力も大きい。ＵＳＢインターフェイスの場合には、変換回路の規模も小さいが、転送速度は他方の場合よりも遅くなる。カード型周辺装置に双方のインターフェイスがある場合には、どちらかのインターフェイス変換のための回路を搭載することができる。
【００５０】
以上説明したように、本実施形態によれば、データの転送が、従来よりも高速化されたＥｘｐｒｅｓｓ カードと同じインターフェイスを有する小型メモリカードにおいて、アダプタを取り付けることでＥｘｐｒｅｓｓカードとの互換性を確保できる。
また、このカードは従来使用されていたメモリスティックやＳＤ（登録商標）カードと比較して幅、長さ、厚さともに大きいので、これらのカードを内部に収容可能なアダプタを実現することが可能である。
また、このカードの形状として、端子カバーの無いカードと端子カバーのあるカードの両方をコネクタで利用可能とする。
端子カバーによって、端子数の多い小型カードであっても端子と人の指などの接触を防止し、端子の汚れによる動作不良を回避する。これに加えて、カバーの材質を導電体としてこれをカードのコモン（グランド）端子と接続することで、静電気をカバーからコモンに導きやすくし、静電気によるカード破損を防止することができる。
【００５１】
なお、本実施形態に係るカード型周辺装置１００は、メモリカードまたはカードアダプタとして適用することが可能であるが、フラッシュメモリチップサイズ等の条件が合えば、メモリカードおよびカードアダプタとしての機能を併せ持つカード型周辺装置としても構成することが可能である。
【図面の簡単な説明】
【００５２】
【図１】Ｅｘｐｒｅｓｓ Ｃａｒｄよりも外形寸法について説明するための図である。
【図２】カード１の端子面が外部からの保護をされていない例を示す図である。
【図３】カードの端子保護の仕切りを設けた例を示す図である。
【図４】本発明の第１の実施形態に係るカード型周辺装置としてのメモリカードの外観斜視図であって、（Ａ）はメモリカードを第１面側から見た斜視図であり、（Ｂ）はメモリカードを第２面側から見た斜視図である。
【図５】各種カードの外形寸法について説明するための図である。
【図６】ＥｘｐｒｅｓｓＣａｒｄの端子割り当ての内訳を示す図である。
【図７】小型カードをＰＣなどに設けられたＥｘｐｒｅｓｓＣａｒｄスロットに挿入して用いる際に利用するアダプタを示す図である。
【図８】本実施形態に係るカード型周辺装置を、小型メモリカードとこれを小型カードスロットで利用する際に使用するカードアダプタとして利用する場合を示す図である。
【図９】フラッシュメモリチップの大きさについて説明するための図である。
【図１０】メモリチップに配置を示し、カード型周辺装置の長さ選定の根拠の一つを示す図である。
【図１１】カード型周辺装置の端子部に仕切りを設けた場合の例を示す図である。
【図１２】端子カバーを備えたカード型周辺装置の例を示す図である。
【図１３】端子カバーを備えたカード型周辺装置の端子部とコネクタの接触ピンとの接続状態の第１例を示す図である。
【図１４】端子カバーを備えたカード型周辺装置の端子部とコネクタの接触ピンとの接続状態の第２例を示す図である。
【図１５】端子カバー１３０がある可能性を事前に提示していない場合に対応できないコネクタが設計されるおそれがあることを示す図である。
【図１６】端子カバーを備えたカード型周辺装置の好適な構成例を説明するための図である。
【図１７】本実施形態に係るカード型周辺装置をカードアダプタとしてした場合の外観斜視部である。
【図１８】本実施形態に係るカード型周辺装置としてのカードアダプタの要部の分解斜視図である。
【図１９】図１８の下側からみた分解斜視図である。
【図２０】カードアダプタのインターフェイス部のブロック図である。
【符号の説明】
【００５３】
１００・・・カード型周辺装置，メモリカード、１００Ａ・・・カードアダプタ、１０１・・・カードケース、１０２・・・端子部、１０４・・・端子カバー載置部、１０２１・・・端子、１１０・・・フラッシュメモリチップ、１２０・・・回路基板、１３０・・・端子カバー、１３１・・・接合部、１４１・・・第１ケース体、１４２・・・第２ケース体、１４４・・・カード収納部、１４５・・・コネクタ部、１４６，１４７・・・回路基板。
【図１】
0004544281.tif 000002
【図２】
0004544281.tif 000003
【図３】
0004544281.tif 000004
【図４】
0004544281.tif 000005
【図５】
0004544281.tif 000006
【図６】
0004544281.tif 000007
【図７】
0004544281.tif 000008
【図８】
0004544281.tif 000009
【図９】
0004544281.tif 000010
【図１０】
0004544281.tif 000011
【図１１】
0004544281.tif 000012
【図１２】
0004544281.tif 000013
【図１３】
0004544281.tif 000014
【図１４】
0004544281.tif 000015
【図１５】
0004544281.tif 000016
【図１６】
0004544281.tif 000017
【図１７】
0004544281.tif 000018
【図１８】
0004544281.tif 000019
【図１９】
0004544281.tif 000020
【図２０】
0004544281.tif 000021